(57)【要約】【課題】画像情報を担持してなる担体から画像情報を読み取り、画像情報が表す画像の画像データをＵＳＢで外部機器に転送可能な画像読取装置において、画像データの転送不良を生じさせないようにする。【解決手段】ＵＳＢ転送部３５を備え、コンピューター１２０へＵＳＢで画像データを転送する画像読取装置１１０において、ＵＳＢ転送部３５にＵＳＢ回線の状況を監視し、不具合時にユーザーに通知する通知手段としての機能を持たせ、ＵＳＢ転送部３５が画像データの転送を行っている際に転送速度を監視し、転送速度が所定速度を下回った場合に、ユーザーにコンピューター１２０の負荷を減らすように通知する。【選択図】図２
2007157034.tif 000002
【特許請求の範囲】
【請求項１】
画像情報を担持してなる担体から前記画像情報を読み取り、該画像情報が表す画像の画像データを出力する画像情報読取手段と、
前記画像データを記憶するメモリと、
該メモリに記憶された前記画像データを外部機器へＵＳＢ（Universal Serial Bus）で転送するＵＳＢ転送手段と、
該ＵＳＢ転送手段が前記画像データの転送を行っている際に転送速度を監視し、転送速度が所定速度を下回った場合に、ユーザーに前記外部機器の負荷を減らすように通知する通知手段を備えたことを特徴とする画像読取装置。
【請求項２】
前記通知手段が、前記ＵＳＢ転送手段と前記外部機器とがハブ経由で接続されている場合に、警告を通知する機能をさらに備えたものであることを特徴とする請求項１記載の画像読取装置。
【請求項３】
前記通知手段が、前記外部機器に所定数以上のＵＳＢデバイスが接続されている場合に、警告を通知する機能をさらに備えたものであることを特徴とする請求項１または２記載の画像読取装置。
【請求項４】
前記通知手段が、前記ＵＳＢ転送手段より前記外部機器へテストデータを転送し、該テストデータの転送を行っている際に転送速度を監視し、転送速度が所定速度を下回った場合に、警告を通知する機能をさらに備えたものであることを特徴とする請求項１から３のいずれか１項記載の画像読取装置。
【発明の詳細な説明】
【技術分野】
【０００１】
本発明は、画像情報を担持してなる担体から前記画像情報を読み取り、該画像情報が表す画像の画像データをＵＳＢで外部機器に転送可能な画像読取装置に関するものである。
【背景技術】
【０００２】
蓄積性蛍光体に放射線を照射すると、この放射線エネルギーの一部が蓄積され、その後、可視光やレーザ光などの励起光を照射すると、蓄積された放射線エネルギーに応じて輝尽発光光が発光される。この蓄積性蛍光体（輝尽性蛍光体）を利用して、支持体上にこの蓄積性蛍光体を積層し、シート状とした蓄積性蛍光体シートに人体などの被写体に放射線を照射することにより放射線画像を一旦蓄積記録し、この蓄積性蛍光体シートにレーザ光などの励起光を照射し、輝尽発光光を生じさせ、この輝尽発光光を光電的に読み取って画像信号を得る放射線画像読取装置がCR（Computed Radiography）として、広く実用に供されている。
【０００３】
また、同様に蓄積性蛍光体シートを利用したシステムとして、オートラジオグラフィ画像検出システム（例えば特許文献１等）、電子顕微鏡による画像検出システム、放射線回折画像検出システム（例えば特許文献２等）などが知られている。
【０００４】
これらの蓄積性蛍光体シートを画像の検出材料として使用するシステムは、写真フイルムを用いる場合とは異なり、現像処理という化学的処理が不必要であるだけでなく、得られた画像データに画像処理を施すことにより、所望のように、画像を再生し、あるいは、コンピュータによる定量解析が可能になるという利点を有している。
【０００５】
他方、オートラジオグラフィシステムにおける放射性標識物質に代えて、蛍光物質を標識物質として使用した蛍光画像検出（fluorescence) システムも知られている。
【０００６】
また、化学発光物質と接触することにより化学発光する物質を標識物質として用い、該標識物質と化学発光物質を接触させることにより発光される化学発光を検出する化学発光画像検出システムも知られている。この化学発光画像検出システムとしては、化学発光光を、前述の蓄積性蛍光体シートに、蓄積、記録した後、該蓄積性蛍光体シートから画像検出を行うタイプ（例えば特許文献３等）と、化学発光光を光検出手段によって直接検出するタイプとがある。
【０００７】
これらのオートラジオグラフィ画像検出システム、化学発光画像検出システム、電子顕微鏡による画像検出システム、放射線回折画像検出システム、蛍光画像検出システムは、同様の目的に使用されるものであるため、これらのシステムに共通して、使用できる画像読取装置が既に提案されている。
【特許文献１】特公平１−６０７８４号公報
【特許文献２】特開昭６１−５１７３８号公報
【特許文献３】米国特許第５，０２８，７９３号明細書
【発明の開示】
【発明が解決しようとする課題】
【０００８】
通常、上述の画像検出システムは画像読取装置とコンピューター等から構成され、画像読取装置で読み取られた画像の画像データは、画像読取装置からコンピューターに転送され、コンピューターにより画像データの解析が行われる。近年、画像読取装置とコンピューター等の外部機器との接続は、汎用性が高いＵＳＢ（Universal Serial Bus）により行われることが多い。このＵＳＢはユーザーがハブを介してＵＳＢ対応機器を自由に複数接続できる反面、接続したＵＳＢ対応機器の数に応じて転送速度が低下するという問題や、接続先の外部機器の負荷が高くなることにより転送速度が低下するという問題がある。
【０００９】
一方、画像読取装置においては、測定対象物から読み取った画像の画像データを一旦メモリに記憶し、このメモリから外部機器へ向けて出力されるが、一般に画像読取装置により読み取られる画像は高い解像度が要求されるために画像データのサイズが非常に大きくなる傾向にあり、画像データのサイズと同量以上のメモリを画像読取装置に搭載することはコストの面から好ましくない。そのため、画像データのサイズよりも少ない容量のメモリを搭載し、画像読取装置から外部機器に画像データを転送する際に、測定対象物から画像情報の一部を読み取り、この画像情報が表す画像の画像データをメモリに記憶する処理と、メモリに記憶された画像データを外部機器へ転送する処理とを交互に連続して行う所謂リング処理を行うことが考えられている。
【００１０】
しかしながら、画像読取装置とコンピューター等の外部機器とをＵＳＢにより接続した場合、リング処理により画像データを転送する際に、転送速度の低下等によりメモリに記憶された画像データが、次の画像データが記憶されるまでに転送できなかった場合には、画像データの一部が上書きされて正常に画像データを転送することができなくなってしまう。
【００１１】
このような場合、例えばコンピューターとプリンターとの接続等、データをリアルタイムで転送する必要が無い場合には、転送用メモリに記憶されたデータを全て転送してから、次のデータを転送用メモリに記憶させるようにすることにより問題は解消できるが、上記の画像読取装置においては、測定対象物の化学反応の検出等、リアルタイムで画像の取得を行いたいという要求があるため、画像読取装置と外部機器との間の転送速度の低下に応じて画像情報の読取速度を低下させることは現実的ではない。また、蓄積性蛍光体シートの読取りの場合には、その特性上読直しができないため、メモリに記憶された画像データが、次の画像データが記憶されるまでに転送できなかった場合に、同領域の画像を再読取することもできない。
【００１２】
本発明は上記問題点に鑑みてなされたものであり、画像情報を担持してなる担体から前記画像情報を読み取り、該画像情報が表す画像の画像データをＵＳＢで外部機器に転送可能な画像読取装置において、画像データの転送不良を生じさせないようにした画像読取装置を提供することを目的とするものである。
【課題を解決するための手段】
【００１３】
本発明の画像読取装置は、画像情報を担持してなる担体から画像情報を読み取り、画像情報が表す画像の画像データを出力する画像情報読取手段と、画像データを記憶するメモリと、メモリに記憶された画像データを外部機器へＵＳＢ（Universal Serial Bus）で転送するＵＳＢ転送手段と、ＵＳＢ転送手段が画像データの転送を行っている際に転送速度を監視し、転送速度が所定速度を下回った場合に、ユーザーに外部機器の負荷を減らすように通知する通知手段を備えたことを特徴とするものである。
【００１４】
ここで、「ユーザーに外部機器の負荷を減らすように通知する」とは、ユーザーに外部機器の負荷を減らす必要がある旨を認識させることを意味し、具体的には、画像読取装置にインジケーターを設けて、このインジケーターを点灯させることにより通知を行ってもよいし、ＵＳＢ転送手段を介して、画像読取装置と接続された外部機器（例えばコンピューター）のモニター上にメッセージを表示させるようにしてもよい。
【００１５】
通知手段は、ＵＳＢ転送手段と外部機器とがハブ経由で接続されている場合に、警告を通知する機能をさらに備えたものとしてもよい。また、外部機器に所定数以上のＵＳＢデバイスが接続されている場合に、警告を通知する機能をさらに備えたものとしてもよい。また、ＵＳＢ転送手段より外部機器へテストデータを転送し、テストデータの転送を行っている際に転送速度を監視し、転送速度が所定速度を下回った場合に、警告を通知する機能をさらに備えたものとしてもよい。
【００１６】
ここで、「警告を通知する」とは、ユーザーに画像データが正常に転送できない可能性がある旨を認識させることを意味し、具体的には、画像読取装置にインジケーターを設けて、このインジケーターを点灯させることにより通知を行ってもよいし、ＵＳＢ転送手段を介して、画像読取装置と接続された外部機器（例えばコンピューター）のモニター上にメッセージを表示させるようにしてもよい。
【発明の効果】
【００１７】
本発明の画像読取装置は、画像情報を担持してなる担体から前記画像情報を読み取り、該画像情報が表す画像の画像データをＵＳＢで外部機器に転送可能な画像読取装置において、画像情報を担持してなる担体から画像情報を読み取り、画像情報が表す画像の画像データを出力する画像情報読取手段と、画像データを記憶するメモリと、メモリに記憶された画像データを外部機器へＵＳＢ（Universal Serial Bus）で転送するＵＳＢ転送手段と、ＵＳＢ転送手段が画像データの転送を行っている際に転送速度を監視し、転送速度が所定速度を下回った場合に、ユーザーに外部機器の負荷を減らすように通知する通知手段を備えたことにより、ＵＳＢの転送速度の低下による画像データの転送不良を生じさせないようにすることができる。
【００１８】
また、通知手段を、ＵＳＢ転送手段と外部機器とがハブ経由で接続されている場合に、警告を通知する機能をさらに備えたものとする、外部機器に所定数以上のＵＳＢデバイスが接続されている場合に、警告を通知する機能をさらに備えたものとする、もしくは、ＵＳＢ転送手段より外部機器へテストデータを転送し、テストデータの転送を行っている際に転送速度を監視し、転送速度が所定速度を下回った場合に、警告を通知する機能をさらに備えたものとすることにより、より確実にＵＳＢの転送速度の低下による画像データの転送不良を生じさせないようにすることができる。
【発明を実施するための最良の形態】
【００１９】
以下、本発明の一実施の形態を図面を参照して詳細に説明する。図１は本実施の形態にかかる画像読取装置を備えた画像検出システムの概略構成図であり、図２は上記画像読取装置の光学ヘッドおよび主要部の概略構成図である。
【００２０】
この画像検出システム１００は、画像読取装置１１０と、画像読取装置１１０とＵＳＢにより接続されたコンピューター１２０と、コンピューター１２０に接続されたモニター１２１とから構成されている。
【００２１】
本実施の形態の画像読取装置１１０は、オートラジオグラフィ画像検出システム、化学発光画像検出システム、電子顕微鏡による画像検出システム、放射線回折画像検出システム、蛍光画像検出システム等に共通して使用可能なものであり、図２に示されるように、画像担体２１を載置するステージ２０と、画像担体２１上に励起光Ｅを照射するとともに、画像担体２１から発せられた発光光Ｌを集光するための光学ヘッド１５と、複数の光源を備え、選択的に励起光Ｅを発生させる光源光学系５０と、発光光Ｌを検出する光検出手段であるフォトマルチプライア３０と、光源光学系５０の光を光学ヘッド１５に導光するとともに、発光光Ｌをフォトマルチプライア３０に導光するための光学手段６０と、フォトマルチプライア３０から出力された信号をＡ／Ｄ変換するＡ／Ｄ変換器３３と、Ａ／Ｄ変換器３３から出力された画像データを記憶するメモリ３４と、メモリ３４に記憶されている画像データをコンピューター１２０へＵＳＢ（Universal Serial Bus）で転送するＵＳＢ転送部３５とを備えてなる。
【００２２】
ＵＳＢ転送部３５は、メモリ３４に記憶された画像データをコンピューター１２０へＵＳＢで転送するＵＳＢ転送手段としての機能と、ＵＳＢ回線の状況を監視し、不具合時にユーザーに通知する通知手段としての機能とを兼ね備える。
【００２３】
通知手段は、常時ＵＳＢ回線の状況を監視し、ＵＳＢ転送手段とコンピューター１２０とがハブ経由で接続された場合、もしくはコンピューター１２０に所定数以上のＵＳＢデバイスが接続された場合に、ユーザーに警告を通知する。
【００２４】
また、ＵＳＢ転送手段を介してコンピューター１２０へテストデータを転送し、テストデータの転送を行っている際に転送速度を監視し、転送速度が所定速度を下回った場合に、ユーザーに警告を通知することも可能である。このテストデータによる転送速度の測定は、ユーザーの指示に基づいて行ってもよいし、画像読取装置１１０とコンピューター１２０とが画像データの送受信を行っていない時に自動的に行うようにしてもよい。
【００２５】
上記の警告の通知は、画像読取装置１１０にインジケーターを設けて、このインジケーターを点灯させることにより通知を行ってもよいし、ＵＳＢ転送手段を介して、画像読取装置１１０と接続されたコンピューター１２０のモニター１２１上にメッセージを表示させるようにしてもよい。
【００２６】
さらに、通知手段は、ＵＳＢ転送手段が画像データの転送を行っている際に転送速度を監視し、転送速度が所定速度を下回った場合に、ユーザーにコンピューター１２０の負荷を減らすように通知する。この場合の通知も、上記と同様に画像読取装置１１０にインジケーターを設けて、このインジケーターを点灯させることにより通知を行ってもよいし、ＵＳＢ転送手段を介して、画像読取装置１１０と接続されたコンピューター１２０のモニター１２１上にメッセージを表示させるようにしてもよい。
【００２７】
メモリ３４は、画像担体２１から読み出される画像の画像データのサイズよりも少ない容量であり、画像読取装置１１０は、コンピューター１２０に画像データを転送する際に、画像担体２１から画像情報の一部を読み取り、この画像情報が表す画像の画像データをメモリ３４に記憶する処理と、メモリ３４に記憶された画像データをコンピューター１２０へ転送する処理とを交互に連続して行う所謂リング処理を行うように構成されている。
【００２８】
光源光学系５０は、６４０ｎｍの波長のレーザ光Ｅを発する第１のレーザ励起光源１と、５３２ｎｍの波長のレーザ光Ｅを発する第２のレーザ励起光源２と、４７３ｎｍの波長のレーザ光Ｅを発する第３のレーザ励起光源３とを備えており、本実施形態においては、第１のレーザ励起光源１は、半導体レーザによって構成され、第２のレーザ励起光源２および第３のレーザ励起光源３は、いずれも、半導体レーザおよび第二高調波生成（Second Harmonic Generation) 素子によって構成されている。また光源光学系５０は、複数の励起光源１、２、３からのレーザ光Ｅを平行な光とするためのコリメータレンズ５、１０、１１、レーザ光Ｅを光学手段６０へ導くためのミラー６、９およびダイクロイックミラー７、８を備えている。
【００２９】
第１のレーザ励起光源１により発生されたレーザ光Ｅは、コリメータレンズ５によって、平行な光とされた後、ミラー６によって反射される。第１のレーザ励起光源１によって発生されたレーザ光Ｅの光路には、６４０ｎｍのレーザ光Ｅを透過し、５３２ｎｍの波長の光を反射する第１のダイクロイックミラー７および５３２ｎｍ以上の波長の光を透過し、４７３ｎｍの波長の光を反射する第２のダイクロイックミラー８が設けられており、第１のレーザ励起光源１により発生され、ミラー６によって反射されたレーザ光Ｅは、第１のダイクロイックミラー７および第２のダイクロイックミラー８を透過し、ミラー９に入射する。
【００３０】
他方、第２のレーザ励起光源２より発生されたレーザ光Ｅは、コリメータレンズ１０によって、平行な光とされた後、第１のダイクロイックミラー７によって反射されて、その向きが９０度変えられ、第２のダイクロイックミラー８を透過して、ミラー９に入射する。
【００３１】
さらに、第３のレーザ励起光源３から発生されたレーザ光Ｅは、コリメータレンズ１１によって、平行な光とされた後、第２のダイクロイックミラー８によって反射されて、その向きが９０度変えられ、ミラー９に入射する。
【００３２】
ミラー９に入射したレーザ光Ｅは、ミラー９によって反射され、後述の光学手段６０のミラー１２に入射する。
【００３３】
光学ヘッド１５は、凹面ミラー１６と、非球面レンズ１７を備えており、画像担体面に平行に進行し、光学ヘッド１５に入射したレーザ光Ｅは、凹面ミラー１６によって画像担体２１に向けて反射され、非球面レンズ１７によってステージ２０上にセットされた画像担体２１に集光される。このレーザ光Ｅの照射により画像担体２１から発光された発光光Ｌは、非球面レンズ１７によって集光され、凹面ミラー１６に入射されて、凹面ミラー１６によってさらに集光されると共に、レーザ光Ｅの光路と同じ側に反射され、略平行な光とされて、後述の光学手段６０の凹面ミラー１８に入射される。
【００３４】
なお、光学ヘッド１５は、図示しない移動機構により副走査方向（矢印Ｙ方向）に移動可能とされている基板４０上に主走査方向（矢印Ｘ方向）に移動可能に配置されており、光学ヘッド１５の移動により画像担体２１の全面がレーザ光Ｅによって走査される。すなわち、光学ヘッド１５が基板４０上を主走査方向Ｘに移動するとともに、基板４０が副走査方向Ｙに移動されることによって、光学ヘッド１５は、Ｘ−Ｙ方向に移動され、レーザ光Ｅによって、画像担体２１の全面が走査される。
【００３５】
光学手段６０は、ミラー１２、励起光Ｅと発光光Ｌを分岐させるための、中央部に穴１３を有する凹面ミラーからなる穴開きミラー１４、凹面ミラー１８、およびフォトマルチプライア３０に選択的に光を入射させるためのフィルタユニット２８とを備えてなる。
【００３６】
光源光学系５０のミラー９で反射されて、ミラー１２に入射されたレーザ光Ｅは、該ミラー１２によって反射され、穴開きミラー１４の穴１３を通過して、凹面ミラー１８に入射し、該凹面ミラー１８によって反射されて、光学ヘッド１５に入射する。
【００３７】
また、画像担体２１から発せられ、光学ヘッド１５の凹面ミラー１６によって反射され凹面ミラー１８に入射した発光光Ｌは、凹面ミラー１８によって反射されて、穴開きミラー１４に入射する。
【００３８】
穴開きミラー１４に入射した発光光Ｌは、該穴開きミラー１４によって、下方に反射されて、フィルタユニット２８に入射し、所定の波長の光がカットされて、フォトマルチプライア３０に入射し、光電的に検出される。
【００３９】
フィルタユニット２８は、４つのフィルタ部材３１ａ、３１ｂ、３１ｃ、３１ｄを備えており、フィルタユニット２８は、フィルタユニットモータ（図示せず）によって、矢印Ｚ方向に移動可能に構成されている。
【００４０】
フィルタ部材３１ａは、画像担体２１がゲル支持体もしくは転写支持体である場合に、第１のレーザ励起光源１を用いて、画像担体２１に含まれている蛍光色素を励起し、蛍光を読み取るときに使用されるフィルタ部材であり、６４０ｎｍの波長の光をカットし、６４０ｎｍよりも波長の長い光を透過する性質のフィルタを備えている。
【００４１】
フィルタ部材３１ｂは、画像担体２１がゲル支持体もしくは転写支持体である場合に、第２のレーザ励起光源２を用いて、画像担体２１に含まれている蛍光色素を励起し、蛍光を読み取るときに使用されるフィルタ部材であり、５３２ｎｍの波長の光をカットし、５３２ｎｍよりも波長の長い光を透過する性質のフィルタを備えている。
【００４２】
フィルタ部材３１ｃは、画像担体２１がゲル支持体もしくは転写支持体である場合に、第３のレーザ励起光源３を用いて、画像担体２１に含まれている蛍光色素を励起し、蛍光を読み取るときに使用されるフィルタ部材であり、４７３ｎｍの波長の光をカットし、４７３ｎｍよりも波長の長い光を透過する性質のフィルタを備えている。
【００４３】
フィルタ部材３１ｄは、画像担体２１が蓄積性蛍光体シートである場合に、第１のレーザ励起光源１を用いて、蓄積性蛍光体シートに含まれた輝尽性蛍光体を励起し、輝尽性蛍光体から発せられた輝尽光を読み取るときに使用されるフィルタ部材であり、輝尽性蛍光体から放出される輝尽光の波長域の光のみを透過し、６４０ｎｍの波長の光をカットする性質のフィルタを備えている。
【００４４】
したがって、画像担体２１の種類および蛍光色素の種類等に応じて、レーザ励起光源を選択するとともに、それに応じたフィルタ部材３１ａ、３１ｂ、３１ｃ、３１ｄを選択的に、フォトマルチプライア３０の前面に位置させることによって、フォトマルチプライア３０は、検出すべき光のみを光電的に検出することができる。
【００４５】
なお、レーザ励起光源とフィルタの組合せ毎に読取モード名称を設定記憶し、ユーザーが読取モード名称を参照することにより、一義的にレーザ励起光源とフィルタの種類が決定されるようにしてもよい。
【００４６】
フォトマルチプライア３０によって光電的に検出されて、生成されたアナログ画像データＳＡは、Ａ／Ｄ変換器３３によって、ディジタル画像データＳＤに変換され、メモリ３４に送られる。
【００４７】
画像読取装置１１０は、コンピューター１２０に画像データＳＤを転送する際に、画像担体２１から画像情報の一部を読み取り、この画像情報が表す画像の画像データＳＤをメモリ３４に記憶する処理と、メモリ３４に記憶された画像データＳＤをコンピューター１２０へ転送する処理とを交互に連続して行う所謂リング処理を行うように構成されている。
【００４８】
ＵＳＢ転送部３５は、ＵＳＢ転送手段が画像データＳＤの転送を行っている際に転送速度を監視し、転送速度が所定速度を下回った場合に、ユーザーにコンピューター１２０の負荷を減らすように通知する。
【００４９】
上記の様な構成とすることにより、画像読取装置１１０からコンピューター１２０へＵＳＢで画像データを転送する際に、ＵＳＢの転送速度の低下による画像データの転送不良を生じさせないようにすることができる。
【００５０】
なお、コンピューター１２０においては、画像担体２１が担持する全ての画像情報の画像データが取得できた時点で、ユーザーにメールでその旨を通知するようにしてもよい。
【００５１】
また、解析ソフトから画像データを参照する場合に、解析ソフトに応じて自動的に画像データのフォーマットを変更するようにしてもよい。
【００５２】
また、解析ソフトにおいて、画像中の指定領域の濃度を基準に合否を判定する機能を設けてもよいし、画像中の指定領域を自動的に諧調補正する機能を設けてもよい。
【００５３】
上記において画像読取装置は、蛍光画像、化学発光画像、放射線画像等種々の画像読取りが可能なものを例に説明したが、蛍光画像のみ読取り可能な画像読取装置、化学発光画像のみ読取り可能な画像読取装置等個別に構成されたものとすることもできる。
【図面の簡単な説明】
【００５４】
【図１】本発明の一実施の形態の画像読取装置を備えた画像検出システムの概略構成図
【図２】上記画像読取装置の光学ヘッドおよび主要部の概略構成図
【符号の説明】
【００５５】
１    第１のレーザ励起光源
２    第２のレーザ励起光源
３    第３のレーザ励起光源
５、１０、１１    コリメータレンズ
６、９、１２    ミラー
７    第１のダイクロイックミラー
８    第２のダイクロイックミラー
１３    穴
１４    穴開きミラー
１５    光学ヘッド
１６    凹面ミラー
１７    非球面レンズ
１８    凹面ミラー
２０    ステージ
２１    画像担体
２８    フィルタユニット
３０    フォトマルチプライア
３１ａ、３１ｂ、３１ｃ、３１ｄ    フィルタ部材
３３    Ａ／Ｄ変換器
３４    メモリ
３５    ＵＳＢ転送部
５０    光源光学系
６０    光学手段
１００    画像検出システム
１１０    画像読取装置
１２０    コンピューター
１２１    モニター
【図１】
2007157034.tif 000003
【図２】
2007157034.tif 000004